(57)【特許請求の範囲】
【請求項１】
ディジタル放送波を受信して番組のストリームを取り出す手段と、番組のストリームを内蔵録画装置に録画する手段と、外部録画装置との間でデータ及び制御情報の送受を行うためのインターフェイスを用いて番組のストリームを外部録画装置に録画する手段と、外部録画装置から提供される制御情報に基づいて録画実行の支障の有無を判断する手段と、外部録画装置に番組録画を行わせるとき及び行わせているときに外部録画装置に支障有りとの判断を得た場合に、内蔵録画装置による番組録画に切り替える制御を行う制御手段と、を備え、前記制御手段は、前記切り替え制御として、番組のストリームを外部録画装置に録画している途中に外部録画装置に支障有りとの判断を得た場合には番組の途中から残りのストリームを内蔵録画装置に録画し、前記外部録画装置に録画される予定であった番組が前記内蔵記録装置に途中から録画された場合における当該内蔵記録装置から前記外部録画装置へのダビングに際して前記外部録画装置から部分録画内容を一旦前記内蔵記録装置に取り込むことを特徴とするディジタル放送受信録画装置。
【請求項２】
請求項１に記載のディジタル放送受信録画装置において、外部録画装置に録画される予定であった番組が内蔵記録装置に録画された旨を利用者に伝えるメッセージ出力手段を備えたことを特徴とするディジタル放送受信録画装置。
【請求項３】
請求項１又は請求項２に記載のディジタル放送受信録画装置において、外部録画装置に録画される予定であった番組が内蔵記録装置に録画された場合の当該内蔵記録装置から外部録画装置へのダビングが１ボタン操作により実行されるように構成したことを特徴とするディジタル放送受信録画装置。
【発明の詳細な説明】
【０００１】
【産業上の利用分野】
この発明は、ディジタル放送波を受信して録画する装置に関する。
【０００２】
【従来の技術】
例えば、衛星を用いたディジタル放送受信システムにおいては、ディジタル信号圧縮技術を用いて映像・音声信号を圧縮するとともに、複数番組の映像・音声ディジタル信号を時分割多重したストリーム（トランスポートストリーム）をトランスポンダ（衛星中継器）を経由して放送を行っている。一方、このようなディジタル放送を受信する放送受信装置は、アンテナを通して受け取ったディジタル放送の複数のトランスポンダのなかから一つをチューナによって選択し、この一つのトランスポンダに含まれる複数のチャンネルのうち一つをデマルチプレクス処理によって選択し、この選択したチャンネルのディジタル信号をデコードすることによって映像・音声信号を出力するようになっている。
【０００３】
ところで、このような放送受信装置においては、近年、ハードディスク等の録画装置を内蔵したものが提案されている。また、インターフェイスとしてＩＥＥＥ１３９４を実装し、受信した番組を外部のＤ−ＶＨＳ等の録画装置に録画させるようにしたものも提案されている。
【０００４】
【発明が解決しようとする課題】
しかしながら、前記内蔵型の録画装置は、一般に記憶容量が小さく、多数の番組を長期間保存することには向いていない。一方、インターフェイスを介して外部録画装置に録画する構成では、テープ等を交換することで多数の番組を長期間保存することが可能となるが、テープ等の入れ忘れや残量不足で番組録画が行えなかったという不具合を生じる可能性がある。
【０００５】
この発明は、上記の事情に鑑み、外部録画装置に何らかの不具合が発生した場合でも番組録画を実行可能とするディジタル放送受信録画装置を提供することを目的とする。
【０００６】
【課題を解決するための手段】
この発明のディジタル放送受信録画装置は、上記の課題を解決するために、ディジタル放送波を受信して番組のストリームを取り出す手段と、番組のストリームを内蔵録画装置に録画する手段と、外部録画装置との間でデータ及び制御情報の送受を行うためのインターフェイスを用いて番組のストリームを外部録画装置に録画する手段と、外部録画装置から提供される制御情報に基づいて録画実行の支障の有無を判断する手段と、外部録画装置に番組録画を行わせるとき又は行わせているときに外部録画装置に支障有りとの判断を得た場合に、内蔵録画装置による番組録画に切り替える制御手段と、を備えたことを特徴とする。
【０００７】
上記の構成であれば、インターフェイスを介して外部録画装置に録画することができるから、多数の番組を長期間保存することが可能であるとともに、テープ等の入れ忘れや残量不足等により録画に支障が生じたとしても、内蔵録画装置による番組録画に切り替えることができるので、番組の録画が不実行で終わってしまったという不満を解消することができる。
【０００８】
外部録画装置に録画される予定であった番組が内蔵記録装置に録画された旨を利用者に伝えるメッセージ出力手段を備えるのがよい。また、外部録画装置に録画される予定であった番組が内蔵記録装置に録画された場合の当該内蔵記録装置から外部録画装置へのダビングが１ボタン操作により実行されるように構成されているのがよい。
【０００９】
【発明の実施の形態】
以下、この発明の実施形態のディジタル放送を受信する受信録画装置を図１及び図２に基づいて説明する。
【００１０】
図１において、アンテナ１は、屋外において所定の方向に向けて配置されており、ＢＳ（Ｂｒｏａｄｃａｓｔｉｎｇ  ｖｉａ  Ｓａｔｅｌｌｉｔｅ）から送られてくるディジタル放送波を受信する。このアンテナ１は、一般に周波数変換器を備え、受信／周波数変換した信号をチューナ２に与える。
【００１１】
チューナ２は、受信した高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポートストリームを出力する。
【００１２】
デマルチプレクサ（ＤＥＭＵＸ）３は、チューナ２が出力するトランスポートストリームをＭＰＥＧ２（Ｍｏｖｉｎｇ  Ｐｉｃｔｕｒｅ  Ｅｘｐｅｒｔｓ  Ｇｒｏｐｅ２）のビデオトランスポートパケット、オーデイオトランスポートパケット、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）に分解する。そして、デマルチプレクサ３におけるＴＳデコーダ３ａは、利用者によって選択された番組を構成するトランスポートストリーム（以下、パーシャルＴＳという）をＭＰＵ１７の指令（指示されたＰＩＤ）に基づいて取り出し、ストリーム記録・再生部４及びＡＶデコーダ７に供給する。なお、従来項で説明したように、トランスポートストリームには複数のチャンネルが多重化されており、このなかから任意のチャンネルを選択するための処理は、前記ＰＳＩ／ＳＩから任意のチャンネルがトランスポート・ストリーム中でどのパケットＩＤ（ＰＩＤ）で多重化されているかといったデータを取り出すことで可能となる。また、トランスポート・ストリームの選定（トランスボンダの選定）もＰＳＩ／ＳＩの情報に基づいて行うことができる。更に、サービス情報（ＳＩ）には、番組情報（番組内容、番組開始時刻、番組継続時間、ジャンルコード等）が含まれている。
【００１３】
ストリーム記録・再生部４は、ＴＳデコーダ３ａから出力されたパーシャルＴＳを内蔵録画装置であるハードディスクドライブ（ＨＤＤ）６に書き込み（記録）、また、ハードディスクドライブ６からパーシャルＴＳを読み出すことができる（再生）。更に、ストリーム記録・再生部４は、外部録画装置（Ｄ−ＶＨＳ，ハードディスク，ＭＯ等）３１との間でＩＥＥＥ１３９４インターフェース５を通じてパーシャルＴＳの入出力をも行うこととしている。これら記録／再生や入出力の指令はＭＰＵ１７によって行われる。
【００１４】
ＡＶデコーダ７は、ビデオトランスポートパケットに対してデコードを行うビデオデコーダ、及びオーディオトランスポートパケットに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。
【００１５】
映像処理回路８は、ＡＶデコーダ７から映像データを受け取ってＤ／Ａ変換を行い、例えばＮＴＳＣフォーマットのコンポジット信号に変換する。音声信号処理回路９は、ＡＶデコーダ７から出力された音声データを受け取ってＤ／Ａ変換を行い、例えば右（Ｒ）音のアナログ信号および左（Ｌ）音のアナログ信号を生成する。
【００１６】
映像出力回路１０及び音声出力回路１１は出力抵抗や増幅器等を備えて成る。ＡＶ出力端子１２には出力部（左右音声出力端子等や映像出力端子のセット）が設けられており、この出力部には、ディスプレイやスピーカを備えるモニタ１４が映像／音声コード１３によって接続される。
【００１７】
ＯＳＤ（オンスクリーンディスプレイ）回路１９は、ＭＰＵ１７から出力指示された文字情報や色情報に基づくビットマップデータを加算器２０に出力する。加算器２０は前記ビットマップデータに基づく映像を受信映像に組み込む処理を行う。上記ＯＳＤ回路１９により、ＭＰＵ１７が受け取ったＰＳＩ／ＳＩに基づくＥＰＧ（Ｅｌｅｃｔｒｏｎｉｃ  Ｐｒｏｇｒａｍ  Ｇｕｉｄｅ）画面表示や録画処理に関してのメーセージ表示などが実現される。
【００１８】
リモコン送信機１５は、当該放送受信装置３０に指令を送出するための送信機である。このリモコン送信機１５に設けられたキーを操作すると、そのキーに対応した指令を意味する信号光（リモコン信号）が図示しない発光部から送出される。リモコン受光器１６は、前記リモコン送信機１５のキーが操作されたときに出射される信号光を受光し、これを電気信号に変換してＭＰＵ１７に与える。
【００１９】
メモリ（例えば、ＥＥＰＲＯＭなど）１８には、トランスポンダの選定のための情報、番組ガイドに利用されるサービス情報（番組内容、番組開始時刻、番組継続時間、ジャンル情報等）、メッセージデータ、録画予約情報などがＭＰＵ１７の処理によって格納される。
【００２０】
ＭＰＵ１７は、このディジタル放送受信録画装置３０における全体制御を行うものであるが、特にこの発明にかかる制御として以下の番組録画制御を実行するようになっている。この番組録画制御においては、基本的に外部録画装置３１を用いて録画を行うこととしており、ＴＳデコーダ３ａから出力されたパーシャルＴＳをＩＥＥＥ１３９４インターフェース５を介して外部録画装置３１へ供給するようストリーム記録・再生部４に制御指令を出す。ここで、外部録画装置３１が見つからない場合やコネクションが確立できない状況等が発生した場合、更には、「電源入」「メディア情報の確認」等のコマンドを用いて正常に録画できる状態でないと判断した場合には、ＭＰＵ１７はストリーム記録・再生部４に内蔵録画装置であるハードディスクドライブ６に録画するよう制御指令を出す。ここで、メディア情報の確認の一つである番組継続時間とＤ−ＶＨＳのテープ残量との対比において、このテープ残量判断の方法としては、テープ位置情報によるものや、現在テープカウンター値を基に終端のテープカウンター値から求める方法などがある。また、現在テープカウンター値については、後に説明するダビングのためにメモリ１８に記憶しておくのがよい。
【００２１】
図２は番組録画制御内容の一例を示したフローチャートである。まず、録画予約情報（番組開始時間やチャンネル等）をメモリ１８から読み出し（ステップＳ１）、この情報に基づいてチューナ２に選局動作を行わせる（ステップＳ２）。そして、順次、外部録画装置の存在確認（ステップＳ３）、コネクション確立の確認（ステップＳ４）、外部録画装置電源ＯＮの確認（ステップＳ５）、メディアの確認（ステップＳ５）を行い、各々の確認において録画不可と判断したときには内蔵のハードディスク６への録画を実行する（ステップＳ８）。また、各々の確認において録画可能と判断したときには、外部録画装置３１への録画を実行するが（ステップＳ７）、この実行後にも外部録画装置３１の電源やその他の状況を監視し（ステップＳ９）、何らかの不具合が発生すれば、内蔵のハードディスク６への録画に切り替える（ステップＳ８）。録画が終了すれば（ステップＳ１０，Ｓ１１でyes ）、この録画制御を終了する。
【００２２】
内蔵のハードディスク６への録画を実行したときには、その録画開始点を当該ハードディスク６またはメモリ１８に記録しておく。そして、例えば、再生指令を受けたときなどに、内蔵のハードディスク６への録画が実行された旨のメッセージをメモリ１８から読み出し、ＯＳＤ表示回路１９を用いて表示する。このメッセージにおいて、番組名や録画実施日時、更には、内蔵のハードディスク６に録画を行った理由（原因）、番組の全部が内蔵のハードディスク６に録画されたのか或いは番組の一部がいつの時点から録画されたのか等の録画状況も記憶しておいて表示するのがよい。
【００２３】
そして、このメッセージを見て利用者は外部録画装置３１へのダビングを望むことが考えられるので、このメッセージと共に、例えば、テープが装着されていないために番組の全部が内蔵のハードディスク６に録画された場合は、「ダビングを行いますか  ＹＥＳ  ＮＯ（ダビングに先立って外部録画装置にテープをセットして下さい）」のメッセージをも表示する。利用者によるリモコン操作によって「ＹＥＳ」が選択された場合、ＭＰＵ１７はＩＥＥＥ１３９４インターフェース５を介して外部録画装置３１の状態を確認した上で、ハードディスク６における録画開始点からパーシャルＴＳをストリーム記録・再生部４によって読み出させ、ＩＥＥＥ１３９４インターフェース５を介して外部録画装置３１に与えて録画させる。即ち、画面表示された「ＹＥＳ」ボタンを１回操作することで自動的に外部録画装置３１へのダビングが実行される。
【００２４】
また、例えば、テープの残量が足らなくて番組の一部が内蔵のハードディスク６に録画された場合は、「ダビングを行いますか  ＹＥＳ  ＮＯ（ダビングに先立って外部録画装置の現在のテープからデータを内蔵ハードディスクに取り込みます。取り込んだ後に、「ピー」と音を鳴らしますので、その後に新しいテープをセットして下さい）」のメッセージをも表示する。利用者によって「ＹＥＳ」が選択された場合、ＭＰＵ１７はＩＥＥＥ１３９４インターフェース５を介して外部録画装置３１において巻き戻しを実行させる。この巻き戻しの終了点は録画開始時のテープ位置である先述の現在テープカウンター値である。巻き戻しの後に外部録画装置３１において再生を実行させ、再生されたパーシャルＴＳをストリーム記録・再生部４によってハードディスク６に記録する。その後、「ピー」と音を鳴らし、外部録画装置３１におけるテープ交換を確認した後、ハードディスク６に記録されている番組のパーシャルＴＳを先頭側から順に再生して外部録画装置３１にダビングさせる。なお、画面上の「ＹＥＳ」「ＮＯ」ボタンに限らず、リモコン送信機１５に例えば「一発ダビング」といった表示のキーを用意しておいて、このキーが操作されたときに前述のダビング操作を自動実行するようにしてもよいものである。
【００２５】
なお、録画予約ではなく、番組を視聴しながら録画を行わせる場合があるが、かかる場合においても、外部録画装置３１に不具合が生じたときに、内蔵のハードディスク６に番組を録画するようにしてもよい。
【００２６】
【発明の効果】
以上説明したように、この発明によれば、外部録画装置に何らかの不具合が発生した場合でも番組録画が内部録画装置において自動実行されるので、録画がされなかったという不具合を防止できるという効果を奏する。
【図面の簡単な説明】
【図１】この発明の実施形態のディジタル放送受信録画装置を示すブロック図である。
【図２】録画制御内容を示したフローチャートである。
【符号の説明】
１    アンテナ
２    チューナ
３    デマルチプレクサ（ＤＥＭＵＸ）
４    ストリーム記録・再生部
５    ＩＥＥＥＥ１３９４インターフェース
６    内蔵のハードディスク
３０  ディジタル放送受信録画装置
３１  外部録画装置
【図１】
0004225710.tif 000002
【図２】
0004225710.tif 000003